(57)【要約】【課題】調理に際して差し障りなくガスレンジ本来の使用が可能であり、ガスによる調理以外にはガスレンジの占めるスペースを有効に利用して調理に役立たせることができるガスレンジ用カバーを提供する。【解決手段】ガスレンジ用カバー１は、３枚のカバー部材１ａ，１ｂ，１ｃで構成され、これらのカバー部材のすべてでガスレンジ１０の全面を覆い、かつすべてのカバー部材をガスレンジ１０の背面に直立させることによってガスレンジ１０の上面を開放してガスバーナー１１ａ，１１ｂの全部が使用可能となり、隣合った２枚のカバー部材をガスレンジ１０の背面に直立させることによってガスバーナー１１ａ，１１ｂのいずれかを使用可能にすると共に、直立していない他のカバー部材の上面を物品の置き台に利用することができる。【選択図】  図１
2004317019.tif 000002
【特許請求の範囲】
【請求項１】
少なくとも２つのガスバーナーを有するガスレンジの上面に装備するほゞ均等幅で３分割された状態の３枚の板状カバー部材からなり、すべてのカバー部材でガスレンジの全面を覆い、かつすべてのカバー部材をガスレンジの背面に直立させることによってガスレンジの上面を開放してガスバーナーの全部が使用可能となり、隣合った２枚のカバー部材をガスレンジの背面に直立させることによって少なくとも１つのガスバーナーを使用可能にすると共に、直立していない他のカバー部材の上面を物品の置き台に利用するようにしたことを特徴とするガスレンジ用カバー。
【請求項２】
前記カバー部材は中央のカバー部材に設けたスライドバーが中央位置において両側のカバー部材を係止して３枚のカバー部材を同時に倒起させることができ、スライドバーを中央のカバー部材に隣接したいずれか一方のカバー部材に向けてスライドさせることによって前記中央のカバー部材に前記一方のカバー部材を係止して２枚のカバー部材を同時に倒起させることができるようにしたことを特徴とする請求項１記載のガスレンジ用カバー。
【請求項３】
前記カバー部材は異なった色彩によるものであることを特徴とする請求項１または２記載のガスレンジ用カバー。
【発明の詳細な説明】
【０００１】
【発明の属する技術分野】
本発明は、例えばアパートなどの比較的狭い住宅のキッチンに置かれているガスレンジに使用してガスによる調理以外のためにも有効に利用することができるガスレンジ用カバーに関するものである。
【０００２】
【従来の技術】
一般に住宅用のガスレンジは、左右に配置した２つのガスバーナーの中央の奥の部分に小さいガスバーナーを配置して３つのガスバーナーを装備し、中央下部に魚焼きのためのグリルを配置したものが使用されている。
また、独身者や少ない家族構成の人達が住むアパートなどのキッチンには、２つのガスバーナーを左右に設けたガスレンジが用いられている。
【０００３】
【発明が解決しようとする課題】
前記２つのガスバーナーを装備したガスレンジは、アパートなどの狭小住宅のキッチンに有効に使用できるものであるが、手狭なキッチンの使い勝手をよりよくするにはこのガスレンジのさらなる有効利用が望まれる。
【０００４】
本発明は、かゝる問題を解消してガスレンジに適用してガスによる調理に関しては差し障りなく本来の使用が可能であり、ガスによる調理以外にガスレンジの占めるスペースを有効に利用して調理に役立たせることができるガスレンジ用カバーを提供せんとするものである。
【０００５】
【課題を解決するための手段】
すなわち、本発明における請求項１の発明は、少なくとも２つのガスバーナーを有するガスレンジの上面に装備するほゞ均等幅で３分割された状態の３枚の板状カバー部材からなり、すべてのカバー部材でガスレンジの全面を覆い、かつすべてのカバー部材をガスレンジの背面に直立させることによってガスレンジの上面を開放してガスバーナーの全部が使用可能となり、隣合った２枚のカバー部材をガスレンジの背面に直立させることによって少なくとも１つのガスバーナーを使用可能にすると共に、直立していない他のカバー部材の上面を物品の置き台に利用するようにしたことを特徴とするガスレンジ用カバーである。
【０００６】
また、請求項２の発明は、前記カバー部材は中央のカバー部材に設けたスライドバーが中央位置において両側のカバー部材を係止して３枚のカバー部材を同時に倒起させることができ、スライドバーを中央のカバー部材に隣接したいずれか一方のカバー部材に向けてスライドさせることによって前記中央のカバー部材に前記一方のカバー部材を係止して２枚のカバー部材を同時に倒起させることができるようにしたことを特徴とする請求項１記載のガスレンジ用カバーである。
【０００７】
さらに、請求項３の発明は、前記カバー部材は異なった色彩によるものであることを特徴とする請求項１または２記載のガスレンジ用カバーである。
【０００８】
【発明の実施の形態】
本発明のガスレンジ用カバーは、ほゞ均等に３分割された状態の３枚のカバー部材からなるもので、各カバー部材は使い勝手の点においてガスレンジの正面から背面にかけて同じ幅で分割された長方形状の板状体であることが好ましく、これら３枚のカバー部材をガスレンジの上面に並べることによってガスレンジの全面を覆うことができるものである。
【０００９】
このカバー部材は、３枚のカバー部材の全てをガスレンジの背面に直立させることによってガスレンジの上面を開放してガスバーナーの全部が使用できる通常の状態になるもので、直立させたカバー部材はガスレンジ背面にセットするオイルガードとして役立たせることができる。
【００１０】
また、このカバー部材は、隣合った２枚のカバー部材をガスレンジの背面に直立させることによって少なくとも１つのガスバーナーの上面を開放してガスバーナーを使用できるようにする。
この直立させたカバー部材はガスレンジ背面にセットするオイルガードとして役立たせることができる。
また、残された直立していない他のカバー部材の上面を物品の置き台に利用するものである。
【００１１】
なお、カバー部材をガスレンジの背面に直立させるには、ガスレンジの背面に設けた既設のオイルガードを立てるための切り込みを利用することができる。
【００１２】
このカバー部材は、好ましくは中央のカバー部材に正面から見て左右にスライドさせることができるスライドバーを取り付け、このスライドバーが中央のカバー部材の中央位置において両側のカバー部材を係止して３枚のカバー部材を同時に倒し、かつ直立させることができるようにする。
【００１３】
また、好ましくはスライドバーを中央のカバー部材に隣接したいずれか一方のカバー部材に向けてスライドさせることによって前記中央のカバー部材に前記一方のカバー部材を係止して２枚のカバー部材を同時に倒し、かつ直立させることができるようにする。
かゝるスライドバーにより、ガスレンジ用カバーの倒起の取扱いを迅速にして使い勝手を格段に向上させることができる。
【００１４】
本発明のガスレンジ用カバーが適用できるガスレンジには特段の制限はなく、前記したとおり２つのガスバーナーを左右に配置し、その中央の奥の部分に小さいガスバーナーを配置して３つのガスバーナーを有し、中央下部に魚焼きのためのグリルを配置した一般住宅のためのガスレンジ、あるいは２つのガスバーナーを左右に有するアパートなどのキッチンに設けられるガスレンジのいずれにも適用することができる。
たゞし、ガスレンジ周辺のスペースの有効な利用からは後者のアパートなどのキッチンに設けられる２連のガスバーナーを備えたガスレンジへの適用が特に望ましい。
【００１５】
このカバー部材の材質は、ガスの使用で発散される熱を考慮して、たとえば、ステンレススチール、アルミニウムまたはその合金などの耐熱不燃性の金属材が使用されるが、見栄えの点からこれらは各カバー部材を異なった色彩とすることが好ましい。
【００１６】
【作用】
本発明のガスレンジ用カバーを構成する３枚のカバー部材は、これらをガスレンジの上面に適用して全面を覆うことができ、３枚のカバー部材の全部をガスレンジの背面に直立させることにより、普通のガスレンジと同様にガスバーナーの全部を使用して調理することができる。
【００１７】
また、隣合う２枚のカバー部材をガスレンジの背面に直立させて少なくとも１つのガスバーナーの上面を開放してガスバーナーを使用することができる。
この場合、直立させずにガスレンジを覆っているカバー部材は上面を各種物品の置き台、たとえば調味料置きや配膳台などとして使用することができ、これにより限られたキッチンのスペースを有効に使用することができる。
なお、直立させたカバー部材はガスレンジ背面にセットするオイルガードとして役立たせることができる。
【００１８】
本発明のガスレンジ用カバーは、中央で２分割したり、あるいは４分割や５分割などの細分化したりせずにほゞ均等幅で３分割された状態としており、この３分割の状態として２枚のカバー部材を直立させることによりガスレンジの使用の際に直立させずに残したカバー部材まで火熱が届かずに安全に加熱調理することができる。また、この３分割の状態により倒起のための操作が最も容易となる。
【００１９】
本発明のガスレンジ用カバー部材は、中央のカバー部材にスライドバーを取り付け、中央のカバー部材の中央位置においてこのスライドバーが両側のカバー部材を係止して３枚のカバー部材を同時に倒し、かつ直立させることができるようにし、また、スライドバーを中央のカバー部材に隣接したいずれか一方のカバー部材に向けてスライドさせることによって前記中央のカバー部材に前記一方のカバー部材を係止して２枚のカバー部材を同時に倒し、かつ直立させることができるようにすることで、ガスレンジ用カバーの倒起の取扱いを迅速にして使い勝手を格段に向上させることができる。
【００２０】
【実施例】
以下、図面の実施例により本発明をさらに詳述する。
図１〜３図は本発明の実施例によるガスレンジ用カバーを装備したガスレンジの斜視図であって、ガスレンジ用カバー１は、２連のガスバーナー１１ａ，１１ｂを備えたガスレンジ１０に設けられている。１２，１３はそれぞれのガスバーナーの操作釦である。
【００２１】
ガスレンジ用カバー１は、板状をなした３枚のカバー部材１ａ，１ｂおよび１ｃからなっており、これらのカバー部材は、ガスレンジ１０の正面から背面にかけて同じ幅で分割された長方形状の板状体で、これら３枚のカバー部材をガスレンジ１０の上面に並べることによってガスレンジ１０の全面を覆うことができるものである。
これらのカバー部材は白色、灰色および橙色などの異なった色彩を持ったカラフルなものである。
【００２２】
カバー部材１ａ，１ｂおよび１ｃは、ガスレンジ１０の前面側に相当する端縁部分を所定幅で直角に屈曲させて倒起の操作を有利するための曲折片部２ａ，２ｂおよび２ｃを形成している。
図２に示すように、中央のカバー部材１ｂの曲折片部２ｂに長孔３を形成すると共に、曲折片部２ｂの内面側の長孔３の両端に保持体５および６を取り付け、これらの保持体５，６に丸棒からなるスライドバー４を保持させ、このスライドバー４の中央には操作用のノブ７を長孔３を通して曲折片部２ｂの外面側に突出させ、このノブ７を操作して前記スライドバー４を左右にスライドさせるようになっている。
【００２３】
しかして、中央のカバー部材１ｂの両側に隣接しているカバー部材１ａおよび１ｃに形成した各曲折片部２ａおよび２ｃの内面側には、前記スライドバー４を保持するための保持体８および９が取り付けられている。
【００２４】
前記ノブ７を長孔３の中央に位置させているとき、スライドバー４はカバー部材１ｂの中央に位置して両側のカバー部材１ａおよび１ｃに形成した前記の各曲折片部２ａおよび２ｃの内面側に設けた保持体８および９に保持され、これによってカバー部材１ｂが両側のカバー部材１ａ，１ｃを係止している。
したがって、この状態で３枚のカバー部材１ａ，１ｂおよび１ｃは、スライドバー４によって一体化されて同時に倒したり直立させたりすることができる。
【００２５】
各カバー部材１ａ，１ｂおよび１ｃの各曲折片部２ａ，２ｂおよび２ｃに対向する端縁、すなわちガスレンジ１０の背面側に相当する端縁部分には、ガスレンジ１０の背面側に設けた既設のオイルガードを立てるための切り込みに嵌め込むことができるようになっており（図示せず）、これにより各カバー部材１ａ，１ｂおよび１ｃは図１のようにガスレンジ１０の背面側に直立させることができるものである。
【００２６】
スライドバー４は、ノブ７を持って中央のカバー部材１ｂに隣接したいずれか一方のカバー部材、たとえば図２の矢視のようにカバー部材１ａ側にスライドさせると、スライドバー４はカバー部材１ｃの保持体９を離れてカバー部材１ｃをカバー部材１ａと１ｂより分離する。これによりカバー部材１ａと１ｂは係止状態のまゝで倒起を共にするが、カバー部材１ｃは単独で倒起することができるようになる。
【００２７】
こゝで、２つのガスバーナーのうち、たとえば、ガスバーナー１１ｂを使用せずにガスバーナー１１ａのみを使用して調理する場合、図３のようにカバー部材１ｃを単独で倒し、カバー部材１ａと１ｂは係止の状態でガスレンジ１０の背面に直立させることによってガスバーナー１１ａが使用可能となる。
一方のカバー部材１ｃはガスバーナー１１ｂ上を覆って伏せた状態となるのでその上に調理のための物品の置き台、たとえば調味料置きや配膳台などに使用することができる。
この場合、直立させたカバー部材１ａ，１ｂはガスレンジの背面にセットして調理の際に生ずる油の飛沫などによる汚損を防ぐためのオイルガードとして役立たせることができる。
【００２８】
各カバー部材は、大雑把にこれを中央で２分割したり、あるいは４分割や５分割などの細分化したりせずにほゞ均等に３分割させた状態としているが、この３分割の状態によりガスバーナー１１ａの使用の際に直立させずに残したカバー部材１ｃまでガスバーナー１１ａの火熱が届かずに安全に加熱調理することができ、加えて倒起のための操作がすこぶる容易となるのである。
このようにガスレンジ用カバー１は、３枚のカバー部材を使い分けることによって手狭なキッチンのスペースを有効に使用することができるものである。
【００２９】
【発明の効果】
本発明のガスレンジ用カバーを構成している３枚のカバー部材は、これらをガスレンジの上面に適用して全面を覆うことができ、３枚のカバー部材の全部をガスレンジの背面に直立させることにより、普通のガスレンジと同様にガスバーナーの全部を使用して調理することができる。
【００３０】
また、隣合う２枚のカバー部材をガスレンジの背面に直立させて、少なくとも１つのガスバーナーの上面を開放してガスバーナーを使用することができる。
この場合、直立させなかった１つのカバー部材の上面は各種物品の置き台、たとえば調味料置きや配膳台などとして使用することができ、これにより限られたキッチンのスペースを有効に使用することができる。
なお、直立させたカバー部材はガスレンジの背面にセットするオイルガードとして役立たせることができる。
【００３１】
本発明のガスレンジ用カバーは、カバー部材を大雑把に中央で２分割したり、あるいは４分割や５分割などの細分化したりせずにほゞ均等幅で３分割された状態として２枚のカバー部材を直立させることによりガスレンジの使用の際に直立させずに残したカバー部材まで火熱が届かずに安全に加熱調理することができ、また、この３分割の状態により倒起のための操作が最も容易となる。
【００３２】
本発明のガスレンジ用カバー部材は、中央のカバー部材にスライドバーを取り付け、中央のカバー部材の中央位置においてこのスライドバーが両側のカバー部材を係止して３枚のカバー部材を同時に倒し、かつ直立させることができるようにし、また、スライドバーを中央のカバー部材に隣接したいずれか一方のカバー部材に向けてスライドさせることによって、前記中央のカバー部材に前記一方のカバー部材を係止して２枚のカバー部材を同時に倒し、かつ直立させることができるようにすることで、ガスレンジ用カバーの倒起の取扱いを迅速にして使い勝手を格段に向上させることができる。
【図面の簡単な説明】
【図１】本発明のガスレンジ用カバーを装備したガスレンジの斜視図である。
【図２】本発明のガスレンジ用カバーの要部の裏面から見た斜視図である。
【図３】図１のガスレンジ用カバーの使用態様を示すガスレンジの斜視図である。
【符号の説明】
１                ガスレンジ用カバー
１ａ，１ｂ，１ｃ  カバー部材
２ａ，２ｂ，２ｃ  曲折片部
３                長孔
４                スライドバー
５，６，８，９    保持体
１０              ガスレンジ
１１ａ，１１ｂ    ガスバーナー
１２，１３        操作釦
【図１】
2004317019.tif 000003
【図２】
2004317019.tif 000004
【図３】
2004317019.tif 000005